(57)【要約】【課題】  輝度センサやフィーバック制御回路のための複雑な制御回路が不要で、したがって、制御が簡単で、小型化、低価格化を図ることのできる液晶表示装置を提供する。また、エリアごとの輝度経時劣化を補正することのできる液晶表示装置を提供する。【解決手段】  通電された時間を累積した累積通電時間を記憶する累積通電時間メモリ7と、累積通電時間に対しバックライト用ランプ3の輝度劣化を補償し前記バックライト用ランプの輝度をほぼ一定にする輝度設定値を記憶した経時輝度設定メモリ5と、累積通電時間メモリ７に記憶された累積通電時間に基づき経時輝度設定メモリ5に記憶された対応する輝度設定値を読み取り、該読み取った輝度設定値によりバックライト用ランプ3の輝度を調整するランプ輝度制御手段1,2を備えた。また、エリアごとの輝度経時劣化を補正する補正手段13,15,16により輝度むらを補正する。【選択図】図１
2006330222.tif 000002
【特許請求の範囲】
【請求項１】
液晶表示パネルと、前記液晶表示パネルの背面から光を照射するバックライト用ランプとを備え表示データを前記液晶表示パネルに表示する液晶表示装置において、
通電された時間を累積した累積通電時間を記憶する記憶手段と、
前記累積通電時間に基づき前記バックライト用ランプの輝度が同じになるように調整するランプ輝度制御手段を備えたことを特徴とする液晶表示装置。
【請求項２】
液晶表示パネルと、前記液晶表示パネルの背面から光を照射するバックライト用ランプとを備え表示データを前記液晶表示パネルに表示する液晶表示装置において、
通電された時間を累積した累積通電時間を記憶する累積通電時間メモリと、
累積通電時間に対し前記バックライト用ランプの輝度劣化を補償し前記バックライト用ランプの輝度をほぼ一定にする輝度設定値を記憶した経時輝度設定メモリと、
前記累積通電時間メモリに記憶された前記累積通電時間に基づき前記経時輝度設定メモリに記憶された対応する輝度設定値を読み取り、該読み取った輝度設定値によりバックライト用ランプの輝度を調整するランプ輝度制御手段を備えたことを特徴とする液晶表示装置。
【請求項３】
前記経時輝度設定メモリに記憶された前記輝度設定値は、表示画面の最も輝度の低いエリアが所定の輝度になるように設定されたことを特徴とする請求項２に記載の液晶表示装置。
【請求項４】
前記液晶表示パネルを区分した複数のエリアの輝度がほぼ同一になるように調整する表示データ調整手段を備えたことを特徴とする請求項１乃至請求項３のいずれか一項に記載の液晶表示装置。
【請求項５】
前記表示データ調整手段は前記複数のエリアごとにエリア補正係数を記憶したエリア補正係数テーブルを有し、該エリア補正係数テーブルに記憶されたエリア補正係数を参照して表示データの補正データを演算することを特徴とする請求項４に記載の液晶表示装置。
【請求項６】
前記エリア補正係数は累積通電時間に対応した複数のエリア補正係数テーブルとして記憶されており、前記累積通電時間メモリの累積通電時間に対応したエリア補正係数テーブルを参照して表示データの補正データを演算することを特徴とする請求項５に記載の液晶表示装置。
【請求項７】
液晶表示パネルと、前記液晶表示パネルの背面から光を照射するバックライト用ランプとを備え表示データを前記液晶表示パネルに表示する液晶表示装置において、
通電された時間を累積した累積通電時間を記憶し、前記液晶表示パネルを区分した複数のエリアの輝度がほぼ同一になるように前記累積通電時間に応じて前記エリアごとに設定された補正係数を変えて補正する補正手段を備えたことを特徴とする液晶表示装置。
【請求項８】
液晶表示パネルと、前記液晶表示パネルの背面から光を照射するバックライト用ランプとを備え表示データを前記液晶表示パネルに表示する液晶表示装置において、
通電された時間を累積して記憶する累積通電時間メモリと、
前記液晶表示パネルを区分した複数のエリアの輝度がほぼ同一になるように各エリアごとに調整するためのエリア補正係数を累積通電時間に対応して複数記憶した経時補正係数メモリと、
前記累積通電時間メモリの累積通電時間に対応する前記エリア補正係数を記憶するエリア補正係数テーブルと、
前記エリア補正係数テーブルに記憶された前記エリア補正係数を参照して表示データの補正データを演算することを特徴とする液晶表示装置。
【請求項９】
前記累積通電時間が予め定めた寿命時間に達したときアラームを表示するアラーム表示手段を備えたことを特徴とする請求項１乃至請求項８のいずれか一項に記載の液晶表示装置。
【請求項１０】
液晶表示パネルの背面から光を照射するバックライト用ランプを備え表示データを前記液晶表示パネルに表示する液晶表示装置の経時劣化補正方法において、
通電された時間を累積した累積通電時間を記憶し、
前記記憶された累積通電時間に基づき前記バックライト用ランプの輝度が同じになるように調整することを特徴とする液晶表示装置の経時劣化補正方法。
【請求項１１】
液晶表示パネルの背面から光を照射するバックライト用ランプを備え表示データを前記液晶表示パネルに表示する液晶表示装置の経時劣化補正方法において、
通電された時間を累積した累積通電時間を記憶し、
累積通電時間に対し前記バックライト用ランプの輝度劣化を補償しバックライト用ランプの輝度をほぼ一定にする輝度設定値を累積通電時間に対応して記憶し、
前記記憶された累積通電時間に対応する輝度設定値を読み取り、該読み取った輝度設定値によりバックライト用ランプの輝度を調整することを特徴とする液晶表示装置の経時劣化補正方法。
【請求項１２】
前記記憶された輝度設定値は、表示画面の最も輝度の低いエリアが所定の輝度になるように設定されたことを特徴とする請求項１１に記載の液晶表示装置の経時劣化補正方法。
【請求項１３】
前記液晶表示パネルを複数のエリアに区分した該エリアにおいて、前記複数のエリアの輝度がほぼ同一になるように調整することを特徴とする請求項１０乃至請求項１２のいずれか一項に記載の液晶表示装置の経時劣化補正方法。
【請求項１４】
前記複数のエリアごとにエリア補正係数を記憶したエリア補正係数テーブルを参照して表示データの補正データを演算することを特徴とする請求項１３に記載の液晶表示装置の経時劣化補正方法。
【請求項１５】
前記エリア補正係数は累積通電時間に対応した複数のエリア補正係数テーブルとして記憶されており、前記記憶された累積通電時間に対応するエリア補正係数テーブルを参照して表示データの補正データを演算することを特徴とする請求項１４に記載の液晶表示装置の経時劣化補正方法。
【請求項１６】
液晶表示パネルの背面から光を照射するバックライト用ランプとを備え表示データを前記液晶表示パネルに表示する液晶表示装置の経時劣化補正方法において、
通電された時間を累積した累積通電時間を記憶し、
前記液晶表示パネルを区分した複数のエリアの輝度がほぼ同一になるように前記累積通電時間に応じて前記エリアごとに設定された補正係数を変えて補正することを特徴とする液晶表示装置の経時劣化補正方法。
【請求項１７】
液晶表示パネルの背面から光を照射するバックライト用ランプとを備え表示データを前記液晶表示パネルに表示する液晶表示装置の経時劣化補正方法において、
通電された時間を累積通電時間メモリに累積して記憶し、
前記液晶表示パネルを区分した複数のエリアの輝度がほぼ同一になるように各エリアごとに調整するためのエリア補正係数を累積通電時間に対応して複数記憶し、
前記累積通電時間メモリの累積通電時間に対応する前記エリア補正係数を参照して表示データの補正データを演算することを特徴とする液晶表示装置の経時劣化補正方法。
【請求項１８】
前記累積通電時間が予め定めた寿命時間に達したときアラームを表示するアラーム表示手段を備えたことを特徴とする請求項１０乃至請求項１７のいずれか一項に記載の液晶表示装置の経時劣化補正方法。
【発明の詳細な説明】
【技術分野】
【０００１】
本発明は液晶表示装置に係り、特にバックライトの経時劣化を少なくすることのできる液晶表示装置及びその経時劣化補正方法に関する。
【背景技術】
【０００２】
液晶表示装置に用いられているバックライトの照射方式には、光源の光を液晶表示パネルの背面から直接照射する直下方式と、光源の光を導光板を介して液晶表示パネルに照射するサイドライト方式（或いはエッジライト方式）がある。最近は液晶表示装置の大型化に伴い直下方式が多く採用されるようになってきている。
【０００３】
バックライトには、冷陰極管やＥＬ素子などの光源が使用されるが、これら光源には経時劣化があり、使用時間の経過と共に次第に輝度が低下していく。この経時劣化特性は使用される光源の種類にもよるが、概略特性を示すと図７のように右肩下がりの累積通電時間−輝度特性になる。冷陰極管の寿命は通常２万時間から３万時間といわれている。
【０００４】
このようなバックライト光源の経時劣化を補正する従来技術として、例えば特開平１１−２９５６８９号公報（特許文献１）、特開平１１−２９５６８９号公報（特許文献２）、特開２００４−１６３４７９号公報（特許文献３）、特開２００５−９１５２６号公報（特許文献４）がある。
【０００５】
また、液晶表示画面にはバックライト光源に起因する輝度むらがある。
このようなバックライト光源に起因する輝度むらを補正する従来技術として、特開平８−９４８４５号公報（特許文献５）、特開２００４−１０９２０５号公報（特許文献６）、特開平６−３１３８８３号公報（特許文献７）、特開平１０−１７０９１９号公報（特許文献８）がある。
【０００６】
例えば、図８は液晶表示装置のバックライトの光源として使用する冷陰極管の配置を示したものである。図８において４１はＵ字の形状をした冷陰極管である。４２は冷陰極管４１を取り付けるケーシングである。図８は冷陰極管４１がケーシング４２に取り付けられて配置された様子を示している。ケーシング４２は冷陰極管４１の取り付け枠の役割をすると共に反射板の役割をしている。図８には図示していないが、液晶表示装置にはこの他に液晶表示パネル、光拡散板などが備わっている。これら液晶表示パネル、光拡散板、冷陰極管４１、ケーシング４２は例えば特開平８−９４８４５号公報（特許文献５）の図１に示されたように重ねあわされて組み立てられる。
【０００７】
図８に示したようなＵ字の形状をした冷陰極管４１は、図の如く一方側に駆動部４３、他方側に屈曲部４４を有している。この冷陰極管４１は、駆動部４３側が屈曲部４４側に対し明るい（高輝度）という特徴を有している。これはＵ字の形状をした冷陰極管の特徴である。
【０００８】
このような特性を有する冷陰極管４１を図８のように配列して取り付けた液晶表示装置は、図９のように、その表示画面４５側から見ると、冷陰極管４１の駆動部４３側４５−１が明るく、屈曲部４４側４５−２が暗くなった、輝度勾配（輝度むら）を有するものとなる。なお、符号４５で示された枠内の輝度勾配は概略イメージを示したものである。
【特許文献１】特開平１１−２９５６８９号公報
【特許文献２】特開平１１−３０７２４５号公報
【特許文献３】特開２００４−１６３４７９号公報
【特許文献４】特開２００５−９１５２６号公報
【特許文献５】特開平８−９４８４５号公報
【特許文献６】特開２００４−１０９２０５号公報
【特許文献７】特開平６−３１３８８３号公報
【特許文献８】特開平１０−１７０９１９号公報
【発明の開示】
【発明が解決しようとする課題】
【０００９】
しかしながら、経時劣化を補正する上記特許文献１乃至４の従来技術は、バックライト光源からの光を輝度センサで検知して、所定の輝度になるようにフィーバック制御するものであり、輝度センサを必要とし、また、フィーバック制御回路も必要であり、制御が複雑化し、使用部品点数も増加し、小型化、低価格化を図る上で問題があった。
【００１０】
また、輝度むらを補正する上記特許文献５乃至８における液晶表示画面の輝度むらも、液晶表示画面のエリアごとに経時劣化が異なり、上記特許文献５乃至８の従来技術ではこの輝度むら経時劣化は補正することができなかった。
【００１１】
本発明の目的は、上記問題点に鑑み、経時劣化補正手段を備えた液晶表示装置において、複雑な制御回路が不要で、また、部品点数を増加させる輝度センサが不要になり、したがって、制御が簡単で、小型化、低価格化を図ることのできる液晶表示装置を提供することにある。
また、本発明の他の目的は、液晶表示画面のエリアごとの輝度補正手段を備えた液晶表示装置において、エリアごとの輝度経時劣化を補正することのできる液晶表示装置、及びその経時劣化補正方法を提供することにある。
【課題を解決するための手段】
【００１２】
本発明の請求項１に係る発明の要旨は、液晶表示パネルと、前記液晶表示パネルの背面から光を照射するバックライト用ランプとを備え表示データを前記液晶表示パネルに表示する液晶表示装置において、通電された時間を累積した累積通電時間を記憶する記憶手段と、前記累積通電時間に基づき前記バックライト用ランプの輝度が同じになるように調整するランプ輝度制御手段を備えたことを特徴とする液晶表示装置に存する。
また、本発明の請求項２に係る発明の要旨は、液晶表示パネルと、前記液晶表示パネルの背面から光を照射するバックライト用ランプとを備え表示データを前記液晶表示パネルに表示する液晶表示装置において、通電された時間を累積した累積通電時間を記憶する累積通電時間メモリと、累積通電時間に対し前記バックライト用ランプの輝度劣化を補償し前記バックライト用ランプの輝度をほぼ一定にする輝度設定値を記憶した経時輝度設定メモリと、前記累積通電時間メモリに記憶された前記累積通電時間に基づき前記経時輝度設定メモリに記憶された対応する輝度設定値を読み取り、該読み取った輝度設定値によりバックライト用ランプの輝度を調整するランプ輝度制御手段を備えたことを特徴とする液晶表示装置に存する。
また、本発明の請求項３に係る発明の要旨は、前記経時輝度設定メモリに記憶された前記輝度設定値は、表示画面の最も輝度の低いエリアが所定の輝度になるように設定されたことを特徴とする請求項２に記載の液晶表示装置に存する。
また、本発明の請求項４に係る発明の要旨は、前記液晶表示パネルを区分した複数のエリアの輝度がほぼ同一になるように調整する表示データ調整手段を備えたことを特徴とする請求項１乃至請求項３のいずれか一項に記載の液晶表示装置に存する。
また、本発明の請求項５に係る発明の要旨は、前記表示データ調整手段は前記複数のエリアごとにエリア補正係数を記憶したエリア補正係数テーブルを有し、該エリア補正係数テーブルに記憶されたエリア補正係数を参照して表示データの補正データを演算することを特徴とする請求項４に記載の液晶表示装置に存する。
また、本発明の請求項６に係る発明の要旨は、前記エリア補正係数は累積通電時間に対応した複数のエリア補正係数テーブルとして記憶されており、前記累積通電時間メモリの累積通電時間に対応したエリア補正係数テーブルを参照して表示データの補正データを演算することを特徴とする請求項５に記載の液晶表示装置に存する。
また、本発明の請求項７に係る発明の要旨は、液晶表示パネルと、前記液晶表示パネルの背面から光を照射するバックライト用ランプとを備え表示データを前記液晶表示パネルに表示する液晶表示装置において、通電された時間を累積した累積通電時間を記憶し、前記液晶表示パネルを区分した複数のエリアの輝度がほぼ同一になるように前記累積通電時間に応じて前記エリアごとに設定された補正係数を変えて補正する補正手段を備えたことを特徴とする液晶表示装置に存する。
また、本発明の請求項８に係る発明の要旨は、液晶表示パネルと、前記液晶表示パネルの背面から光を照射するバックライト用ランプとを備え表示データを前記液晶表示パネルに表示する液晶表示装置において、通電された時間を累積して記憶する累積通電時間メモリと、前記液晶表示パネルを区分した複数のエリアの輝度がほぼ同一になるように各エリアごとに調整するためのエリア補正係数を累積通電時間に対応して複数記憶した経時補正係数メモリと、前記累積通電時間メモリの累積通電時間に対応する前記エリア補正係数を記憶するエリア補正係数テーブルと、前記エリア補正係数テーブルに記憶された前記エリア補正係数を参照して表示データの補正データを演算することを特徴とする液晶表示装置に存する。
また、本発明の請求項９に係る発明の要旨は、前記累積通電時間が予め定めた寿命時間に達したときアラームを表示するアラーム表示手段を備えたことを特徴とする請求項１乃至請求項８のいずれか一項に記載の液晶表示装置に存する。
また、本発明の請求項１０に係る発明の要旨は、液晶表示パネルの背面から光を照射するバックライト用ランプを備え表示データを前記液晶表示パネルに表示する液晶表示装置の経時劣化補正方法において、通電された時間を累積した累積通電時間を記憶し、前記記憶された累積通電時間に基づき前記バックライト用ランプの輝度が同じになるように調整することを特徴とする液晶表示装置の経時劣化補正方法に存する。
また、本発明の請求項１１に係る発明の要旨は、液晶表示パネルの背面から光を照射するバックライト用ランプを備え表示データを前記液晶表示パネルに表示する液晶表示装置の経時劣化補正方法において、通電された時間を累積した累積通電時間を記憶し、累積通電時間に対し前記バックライト用ランプの輝度劣化を補償しバックライト用ランプの輝度をほぼ一定にする輝度設定値を累積通電時間に対応して記憶し、前記記憶された累積通電時間に対応する輝度設定値を読み取り、該読み取った輝度設定値によりバックライト用ランプの輝度を調整することを特徴とする液晶表示装置の経時劣化補正方法に存する。
また、本発明の請求項１２に係る発明の要旨は、前記記憶された輝度設定値は、表示画面の最も輝度の低いエリアが所定の輝度になるように設定されたことを特徴とする請求項１１に記載の液晶表示装置の経時劣化補正方法に存する。
また、本発明の請求項１３に係る発明の要旨は、前記液晶表示パネルを複数のエリアに区分した該エリアにおいて、前記複数のエリアの輝度がほぼ同一になるように調整することを特徴とする請求項１０乃至請求項１２のいずれか一項に記載の液晶表示装置の経時劣化補正方法に存する。
また、本発明の請求項１４に係る発明の要旨は、前記複数のエリアごとにエリア補正係数を記憶したエリア補正係数テーブルを参照して表示データの補正データを演算することを特徴とする請求項１３に記載の液晶表示装置の経時劣化補正方法に存する。
また、本発明の請求項１５に係る発明の要旨は、前記エリア補正係数は累積通電時間に対応した複数のエリア補正係数テーブルとして記憶されており、前記記憶された累積通電時間に対応するエリア補正係数テーブルを参照して表示データの補正データを演算することを特徴とする請求項１４に記載の液晶表示装置の経時劣化補正方法に存する。
また、本発明の請求項１６に係る発明の要旨は、液晶表示パネルの背面から光を照射するバックライト用ランプとを備え表示データを前記液晶表示パネルに表示する液晶表示装置の経時劣化補正方法において、通電された時間を累積した累積通電時間を記憶し、前記液晶表示パネルを区分した複数のエリアの輝度がほぼ同一になるように前記累積通電時間に応じて前記エリアごとに設定された補正係数を変えて補正することを特徴とする液晶表示装置の経時劣化補正方法に存する。
また、本発明の請求項１７に係る発明の要旨は、液晶表示パネルの背面から光を照射するバックライト用ランプとを備え表示データを前記液晶表示パネルに表示する液晶表示装置の経時劣化補正方法において、通電された時間を累積通電時間メモリに累積して記憶し、前記液晶表示パネルを区分した複数のエリアの輝度がほぼ同一になるように各エリアごとに調整するためのエリア補正係数を累積通電時間に対応して複数記憶し、前記累積通電時間メモリの累積通電時間に対応する前記エリア補正係数を参照して表示データの補正データを演算することを特徴とする液晶表示装置の経時劣化補正方法に存する。
また、本発明の請求項１８に係る発明の要旨は、前記累積通電時間が予め定めた寿命時間に達したときアラームを表示するアラーム表示手段を備えたことを特徴とする請求項１０乃至請求項１７のいずれか一項に記載の液晶表示装置の経時劣化補正方法に存する。
【発明の効果】
【００１３】
本発明によれば、複雑な制御回路が不要で、また、部品点数を増加させる輝度センサが不要になり、したがって、制御が簡単で、小型化、低価格化を図ることのできる経時劣化補正手段を備えた液晶表示装置を提供できる効果がある。
また、本発明によれば、液晶表示画面のエリアごとの輝度経時劣化を補正することのできる液晶表示装置を提供できる効果がある。
【発明を実施するための最良の形態】
【００１４】
本発明を実施するための最良の形態を、図面を参照して具体的に説明する。
（第１の実施の形態）
図１は本発明の第１の実施の形態による液晶表示装置の制御回路構成を示したものである。
１は制御回路全体を制御するマイクロコンピュータ（以下マイコンという）である。２はランプ輝度制御回路である。３は図８に示したような冷陰極管４１を配列したバックライト用ランプである。４は表示データを入力して映像や文字を表示する液晶表示パネルである。
【００１５】
マイコン１は、経時輝度設定メモリ５からの輝度設定値６を入力してバックライト用ランプ３の輝度をランプ輝度制御回路２により調整する。この輝度設定値６による輝度調整は輝度むら調整ではなく、全体の明るさを調整するものとなる。
【００１６】
７は累積通電時間メモリである。８は現在時刻の時間データを出力する時計である。累積通電時間メモリ７は、本液晶表示装置の通電時間を時計８からの時間データをもとに積算して記憶する。マイコン１は累積通電時間メモリ７に記憶された累積通電時間を読み取り、経時輝度設定メモリ５の累積通電時間に対応する輝度設定値を読み取る。これによりマイコン１は、輝度設定値６に基づき、バックライト用ランプ３の輝度を、時間経過にかかわらずほぼ一定になるようにランプ輝度制御回路２を動作させて調整する。なお、累積通電時間メモリ７にはＥ２ＰＲＯＭなどの不揮発性メモリ、あるいはバッテリーバックアップされたメモリが使用され、電源がオフされても積算した累積通電時間を記憶している。
【００１７】
図２は経時輝度設定メモリ５の記憶内容を示したもので、累積通電時間に対する輝度設定値が記憶されている。ＴＬは予め定めた寿命時間を示している。この図２に示された累積通電時間−輝度設定値の特性は、図７に示した累積通電時間−輝度特性を補償し、バックライト用ランプ３の輝度が時間の経過によらずほぼ一定になるように設定されている。
【００１８】
また、図１における９はアラーム表示手段であり、累積通電時間が図２に示した寿命時間ＴＬに達したとき、マイコン１からのアラーム信号により、バックライト用ランプが寿命時間に達したことのアラームを表示するようになっている。
【００１９】
１０は外部メモリであり、予め設定されたエリア補正係数と階調補正係数のデータが記憶される。図３は外部メモリ１０の記憶内容を示したものである。エリア補正係数は液晶表示画面を任意のエリアに区分して、該エリアごとに記憶された輝度を補正するための補正係数である。図３の例では液晶表示画面の横方向をＸ１〜Ｘ４の４つに区分し、縦方向をＹ１〜Ｙ４の４つに区分し、それぞれの区分されたエリアにＤ１１〜Ｄ４４の補正係数を記憶したものとなっている。また、階調補正係数Ｄ４５も記憶されている。但し、これは一例であって、この例に限定されるものではない。
【００２０】
次に、輝度むら補正に関するエリア補正係数Ｄ１１〜Ｄ４４について更に説明を加える。
図４は輝度むら補正の概念を説明する特性図である。横軸に表示画面４５の幅方向の距離が取ってあり、縦軸に距離ｘに対応する表示画面４５の輝度ｙがとってある。
【００２１】
図４の特性グラフの曲線２６は補正前の冷陰極管４１そのものによる輝度特性を示している。曲線２６のＡで示した点は液晶表示画面エリアの最も暗い部分を示している。２７は表示画面の所望する明るさを示す基準輝度レベルである。特性グラフの曲線２８は特性グラフの曲線２６のＡ点を基準輝度レベル２７のＢ点に合わせるように特性グラフの曲線２６を上にシフトしたときの特性グラフである。したがって特性グラフの曲線２８の輝度は全て基準輝度レベル２７以上となる。Ａ点をＢ点に合わせるにはランプ輝度制御回路によりバックライト用ランプの輝度を調整する。このため、経時輝度設定メモリ５にはＡ点をＢ点に合わせるように輝度設定値が決められて記憶される。
【００２２】
特性グラフの曲線２９は輝度むらを表示データにより補正するためのエリア補正係数特性を示している。特性グラフの曲線２９は上記Ｂ点でエリア補正係数を１として、輝度レベルを変えない。そして、特性グラフの曲線２８のＢ点を越えた値のところでは、特性グラフの曲線２９のエリア補正係数は１より小さく、特性グラフの曲線２８の値に特性グラフの曲線２９のエリア補正係数の値を掛け合わせたとき、基準輝度レベル２７に一致するように値が設定されている。３０は２８の値と特性グラフの曲線２９の値を掛け合わせた後の補正後輝度特性を示している。
【００２３】
すなわち、この補正は、光源による輝度むら（特性グラフの曲線２６）をバックライト用ランプの輝度制御（Ａ点をＢ点に合わせる制御）と表示データの明暗（特性グラフの曲線２９）とで補正して、液晶表示画面の表面から出てくる光の輝度特性が補正後輝度特性３０になるようにしたものである。図４から分かるように、補正後輝度特性３０は、基準輝度レベル２７に一致した水平な直線の特性、すなわち輝度むらのない特性となっている。
【００２４】
図４の特性グラフの曲線２９の特性は縦方向をある一部の領域に区切った１つ例えば図３のＹ１について示したものとなっているが、液晶表示画面の縦方向Ｙ２、Ｙ３、Ｙ４についても同様に求められ、エリア補正係数Ｄ１１〜Ｄ４４が設定されるものである。また諧調補正係数Ｄ４５は表示画面全体の平均輝度を補正するための補正係数として設定される。なお、上記図４のＡ点が存在するエリアは、図３のＸ１〜Ｘ４、Ｙ１〜Ｙ４で区切られたエリアの最も輝度の低い部分に該当する。
【００２５】
１１は階調補正係数テーブル（２５６Ｂｙｔｅ）であり、階調補正係数データＤ４５を映像データ１４と外部メモリ１０から取り込んで記憶する。１２はエリア補正係数テーブル（２５６Ｂｙｔｅ）であり、エリア補正係数データＤ１１〜Ｄ４４を外部メモリ１０から取り込んで記憶する。外部メモリ１０に記憶されたエリア補正係数Ｄ１１〜Ｄ４４と階調補正係数Ｄ４５は製品出荷時の初期設定時に階調補正係数テーブル１１とエリア補正係数テーブル１２へ記憶させるようにすればよい。なお、階調補正係数テーブル１１、エリア補正係数テーブル１２は参照テーブルメモリ（ＬＵＴメモリ）１３を構成している。
【００２６】
１５は映像データの階調補正、輝度補正、色補正の演算を行い演算された補正データ出力する演算回路である。演算回路１５は映像データ１４が入力され、階調補正、輝度補正の演算を行う際に階調補正係数テーブル１１の階調補正係数データ、エリア補正係数テーブル１２のエリア補正係数を参照する。したがって階調補正係数テーブル１１、エリア補正係数テーブル１２はこの演算のための参照テーブルメモリ（ＬＵＴメモリ）１３となっている。
【００２７】
１６は表示データ切替回路であり、映像データ１４からの映像データと演算回路１５からの補正データとマイコン１からの表示データの切替信号１７に基づき表示データを生成して液晶表示パネル４に出力する。
【００２８】
本実施の形態によれば、輝度センサを使った複雑な制御回路が不要で、また、部品点数を増加させる輝度センサが不要になり、したがって、制御が簡単で、小型化、低価格化を図ることのできる経時劣化補正手段を備えた液晶表示装置を提供できる効果がある。また、本発明によれば、液晶表示画面のエリアごとの輝度むらを補正することのできる液晶表示装置を提供できる効果がある。
【００２９】
（第２の実施の形態）
図５は本発明の第２の実施の形態による液晶表示装置の制御回路構成を示したものである。
１は制御回路全体を制御するマイクロコンピュータ（以下マイコンという）である。２はランプ輝度制御回路である。３は図８に示したような冷陰極管４１を配列したバックライト用ランプである。４は表示データを入力して映像や文字を表示する液晶表示パネルである。
【００３０】
マイコン１は、経時輝度設定メモリ５からの輝度設定値６を入力してバックライト用ランプ３の輝度をランプ輝度制御回路２により調整する。この輝度設定値６による輝度調整は輝度むら調整を行うことができないので、全体の明るさを調整するものとなる。
【００３１】
７は累積通電時間メモリである。８は現在時刻の時間データを出力する時計である。累積通電時間メモリ７は、本液晶表示装置の通電時間を時計８からの時間データをもとに積算して記憶する。マイコン１は累積通電時間メモリ７に記憶された累積通電時間を読み取り、経時輝度設定メモリ５の累積通電時間に対応する輝度データを読み取る。これによりマイコン１は、輝度設定値６に基づき、バックライト用ランプ３の輝度を、時間経過にかかわらずほぼ一定になるようにランプ輝度制御回路２を動作させて調整する。
【００３２】
９はアラーム表示手段で、累積通電時間が図２に示した寿命時間ＴＬに達したときマイコン１からのアラーム信号により、バックライト用ランプが寿命時間に達したことのアラームを表示するようになっている。
【００３３】
１９は経時補正係数メモリであり、図６は経時補正係数メモリ１９の記憶内容を示している。経時補正係数メモリ１９には、予め設定された複数組のエリア補正係数データＤ１１−１〜Ｄ４４−１，Ｄ１１−２〜Ｄ４４−２，・・・Ｄ１１−ｎ〜Ｄ４４−ｎと階調補正係数データＤ４５−１〜Ｄ４５−ｎが記憶されている。第１の実施の形態における外部メモリ１０には１組のエリア補正係数データＤ１１〜Ｄ４４と階調補正係数データＤ４５が記憶されていたが、本実施の形態では、エリア補正係数と階調補正係数が１〜ｎの複数組が記憶されている。
【００３４】
図６に記憶されたエリア補正係数と階調補正係数の組は、各エリアごとの累積通電時間−輝度特性の劣化を補償するように所定の時間間隔で設定されたものとなっている。すなわち、時間が経過しても輝度むらが発生しないように各エリアごとの補正係数を変えて補正できるようになっている。
【００３５】
１１は階調補正係数テーブル（２５６Ｂｙｔｅ）であり、階調補正係数データを映像データ１４から取り込んで記憶すると共に、マイコン１により累積通電時間に応じて経時補正係数メモリ１９から読み取って設定される。１２はエリア補正係数テーブル（２５６Ｂｙｔｅ）であり、エリア補正係数データをマイコン１により累積通電時間に応じて経時補正係数メモリ１９から読み取って設定される。なお、階調補正係数テーブル１１、エリア補正係数テーブル１２は参照テーブルメモリ（ＬＵＴメモリ）１３を構成している。
【００３６】
１５は映像データの階調補正、輝度補正、色補正の演算を行い演算された補正データ出力する演算回路である。演算回路１５は映像データ１４が入力され、階調補正、輝度補正の演算を行う際に階調補正係数テーブル１１の階調補正係数データ、エリア補正係数テーブル１２のエリア補正係数を参照する。
【００３７】
１６は表示データ切替回路であり、映像データ１４からの映像データと演算回路１５からの補正データとマイコン１からの表示データの切替信号１７に基づき表示データを生成して液晶表示パネル４に出力する。
【００３８】
本実施の形態によれば、輝度センサを使った複雑な制御回路が不要で、また、部品点数を増加させる輝度センサが不要になり、したがって、制御が簡単で、小型化、低価格化を図ることのできる経時劣化補正手段を備えた液晶表示装置を提供できる効果がある。
また、本発明によれば、液晶表示画面のエリアごとの輝度むらを補正することができると共に、輝度むらの経時変化も補正できる液晶表示装置を提供できる効果がある。
【００３９】
以上、具体的な実施の形態によって本発明を説明したが、本発明では、Ｕ字の形状をした冷陰極管に限らず、別形状の冷陰極管を使用することもできる。また、冷陰極管に限定されず、輝度むらを生じてしまうような別方式の光源であってもよい。例えばＥＬ素子、発光ダイオードなどを利用したバックライト方式にも適用することができる。
また、本発明は上記実施の形態で挙げたものに限定されず、本発明の要旨の範囲内で変更して実施することができることは言うまでもない。
【産業上の利用可能性】
【００４０】
本発明は、テレビ、パソコン、携帯端末（ＰＤＡ、携帯電話など）、車載用ＡＶ機器など各種映像表示装置の液晶表示画面の輝度むら補正に広く利用できる。
【図面の簡単な説明】
【００４１】
【図１】本発明の第１の実施の形態による液晶表示装置の制御回路構成を示す図である。
【図２】本発明による経時輝度設定メモリの記憶内容を説明する図である。
【図３】本発明による外部メモリの記憶内容を説明する図である。
【図４】本発明の輝度むら補正の概要を説明する輝度特性図である。
【図５】本発明の第２の実施の形態による液晶表示装置の制御回路構成の変形例を示す図である。
【図６】本発明による経時補正係数メモリの記憶内容を説明する図である。
【図７】バックライト用ランプの経時劣化特性の一例を示す図である。
【図８】液晶表示装置のバックライト用ランプの一例を示す図である。
【図９】液晶表示装置の輝度むらの一例を示す図である。
【符号の説明】
【００４２】
１・・・マイコン（マイクロコンピュータ）
２・・・ランプ輝度制御回路
３・・・バックライト用ランプ
４・・・液晶表示パネル
５・・・経時輝度設定メモリ
６・・・輝度設定値
７・・・累積通電時間メモリ
８・・・時計
９・・・アラーム表示手段
１０・・・外部メモリ
１１・・・階調補正係数テーブル
１２・・・エリア補正係数テーブル
１３・・・参照テーブルメモリ
１４・・・映像データ
１５・・・演算回路
１６・・・表示データ切替回路
１７・・・切替信号
１８・・・表示データ
１９・・・経時補正係数メモリ
２６、２８、２９・・・特性グラフの曲線
２７・・・基準輝度レベル
３０・・・補正後輝度特性
４１・・・冷陰極管
４２・・・ケーシング
４３・・・駆動部
４４・・・屈曲部
４５・・・表示画面
４５−１・・・駆動部４３側
４５−２・・・屈曲部４４側
【図１】
2006330222.tif 000003
【図２】
2006330222.tif 000004
【図３】
2006330222.tif 000005
【図４】
2006330222.tif 000006
【図５】
2006330222.tif 000007
【図６】
2006330222.tif 000008
【図７】
2006330222.tif 000009
【図８】
2006330222.tif 000010
【図９】
2006330222.tif 000011